(57)【特許請求の範囲】
【請求項１】
複数の点状光源（１）と、複数の点状光源（１）を実装するための配線基板（２）と、複数の点状光源（１）からの光を反射するためのリフレクタ（３）とを具備し、
複数の点状光源（１）からの光および／またはリフレクタ（３）からの光が入射される入射面（４ａ）と、入射面（４ａ）と概略直交する出射面（４ｂ）と、出射面（４ｂ）に対向する下面（４ｃ）とを有する導光板（４）を具備し、
入射面（４ａ）を導光板（４）の側面に形成し、
出射面（４ｂ）を導光板（４）の上面に形成し、
複数の点状光源（１）が実装された配線基板（２）をリフレクタ（３）に取り付け、
複数の点状光源（１）が導光板（４）の入射面（４ａ）に対向するように、かつ、複数の点状光源（１）と導光板（４）の入射面（４ａ）との間に隙間が形成されるように、概略コ字状の断面形状を有するリフレクタ（３）の上側部分（３ａ）と導光板（４）の出射面（４ｂ）とを嵌合させると共に、リフレクタ（３）の下側部分（３ｂ）と導光板（４）の下面（４ｃ）とを嵌合させ、
入射面（４ａ）から入射された光が、導光板（４）によって導光されて出射面（４ｂ）から出射され、出射面（４ｂ）が面状に光って見えるように構成された面状光源照明装置（１０）において、
リフレクタ（３）の上側部分（３ａ）の下面に突起（３ａ１）を形成し、
リフレクタ（３）の上側部分（３ａ）の突起（３ａ１）と係合するための凹部（４ｂ１）を導光板（４）の出射面（４ｂ）に形成し、
リフレクタ（３）の下側部分（３ｂ）の上面に突起（３ｂ１）を形成し、
リフレクタ（３）の下側部分（３ｂ）の突起（３ｂ１）と係合するための凹部（４ｃ１）を導光板（４）の下面（４ｃ）に形成し、
リフレクタ（３）の上側部分（３ａ）の突起（３ａ１）と導光板（４）の出射面（４ｂ）の凹部（４ｂ１）とが係合すると共に、リフレクタ（３）の下側部分（３ｂ）の突起（３ｂ１）と導光板（４）の下面（４ｃ）の凹部（４ｃ１）とが係合することにより、複数の点状光源（１）、配線基板（２）およびリフレクタ（３）が導光板（４）に対して位置決めされ、
概略コ字状の断面形状を有するリフレクタ（３）の上側部分（３ａ）の先端に筒状部（３ａ３，３ａ４）を形成し、
リフレクタ（３）の下側部分（３ｂ）の先端に筒状部（３ｂ３）を形成し、
導光板（４）に対するリフレクタ（３）の着脱時にリフレクタ（３）の上側部分（３ａ）の筒状部（３ａ３，３ａ４）に装着される上側取っ手（１１ａ）と、
導光板（４）に対するリフレクタ（３）の着脱時にリフレクタ（３）の下側部分（３ｂ）の筒状部（３ｂ３）に装着される下側取っ手（１１ｂ）とを設けたことを特徴とする面状光源照明装置（１０）。
【発明の詳細な説明】
【技術分野】
【０００１】
本発明は、複数の点状光源と、複数の点状光源を実装するための配線基板と、複数の点状光源からの光を反射するためのリフレクタとを具備し、複数の点状光源からの光および／またはリフレクタからの光が入射される入射面と、入射面と概略直交する出射面と、出射面に対向する下面とを有する導光板を具備する面状光源照明装置に関する。
【０００２】
特に、本発明は、導光板に対する複数の点状光源、配線基板およびリフレクタの位置決め作業を容易にすることができる面状光源照明装置に関する。
【０００３】
詳細には、本発明は、量産される面状光源照明装置の複数の点状光源と導光板の入射面との間の隙間のバラツキを低減することができる面状光源照明装置に関する。
【背景技術】
【０００４】
従来から、複数の点状光源と、複数の点状光源を実装するための配線基板と、複数の点状光源からの光を反射するためのリフレクタとを具備し、複数の点状光源からの光および／またはリフレクタからの光が入射される入射面と、入射面と概略直交する出射面とを有する導光板を具備する面状光源照明装置が知られている。この種の面状光源照明装置の例としては、例えば特開２００５−１７４８２０号公報の図２および図３に記載されたものがある。
【０００５】
特開２００５−１７４８２０号公報の図２および図３に記載された面状光源照明装置では、入射面が導光板の側面に形成され、出射面（発光面）が導光板の上面に形成されている。また、複数の点状光源が実装された配線基板が、リフレクタに取り付けられている。
【０００６】
詳細には、特開２００５−１７４８２０号公報の図２および図３に記載された面状光源照明装置では、概略コ字状の断面形状を有するリフレクタの上側部分と導光板の出射面（発光面、上面）とが嵌合せしめられると共に、リフレクタの下側部分と導光板の下面とが嵌合せしめられている。それにより、特開２００５−１７４８２０号公報の図２および図３に記載された面状光源照明装置では、複数の点状光源が導光板の入射面に対向せしめられている。
【０００７】
その結果、特開２００５−１７４８２０号公報の図２および図３に記載された面状光源照明装置では、入射面から入射された光が、導光板によって導光されて出射面（発光面）から出射され、出射面（発光面）が面状に光って見えるように構成されている。
【０００８】
ところで、特開２００５−１７４８２０号公報の図２および図３に記載された面状光源照明装置では、リフレクタの上側部分と導光板の出射面（発光面、上面）とを嵌合させると共に、リフレクタの下側部分と導光板の下面とを嵌合させることにより、複数の点状光源、配線基板およびリフレクタが導光板に対して取り付けられるものの、特開２００５−１７４８２０号公報の図２および図３に記載された面状光源照明装置では、複数の点状光源、配線基板およびリフレクタを導光板に対して位置決めする手段が設けられていない。
【０００９】
そのため、特開２００５−１７４８２０号公報の図２および図３に記載された面状光源照明装置では、複数の点状光源、配線基板およびリフレクタが導光板に対して取り付けられる時に、リフレクタの上側部分と導光板の出射面（発光面、上面）とが嵌合せしめられると共に、リフレクタの下側部分と導光板の下面とが嵌合せしめられ、その上、複数の点状光源と導光板の入射面との間の隙間の微調整が、組立作業者によって行われる。
【００１０】
換言すれば、特開２００５−１７４８２０号公報の図２および図３に記載された面状光源照明装置では、組立作業者が複数の点状光源と導光板の入射面との間の隙間の微調整を行わなければ、導光板に対する複数の点状光源、配線基板およびリフレクタの位置決めを行うことができない。
【００１１】
それゆえ、特開２００５−１７４８２０号公報の図２および図３に記載された面状光源照明装置では、導光板に対する複数の点状光源、配線基板およびリフレクタの位置決め作業が煩雑になり、面状光源照明装置全体のコストが嵩んでしまう。
【００１２】
更に、特開２００５−１７４８２０号公報の図２および図３に記載された面状光源照明装置では、組立作業者が複数の点状光源と導光板の入射面との間の隙間の微調整を行わなければならないため、量産される面状光源照明装置の複数の点状光源と導光板の入射面との間の隙間のバラツキが発生するおそれが生じてしまう。
【００１３】
【特許文献１】特開２００５−１７４８２０号公報の図２および図３
【発明の開示】
【発明が解決しようとする課題】
【００１４】
前記問題点に鑑み、本発明は、導光板に対する複数の点状光源、配線基板およびリフレクタの位置決め作業を容易にすることができる面状光源照明装置を提供することを目的とする。
【００１５】
更に、本発明は、量産される面状光源照明装置の複数の点状光源と導光板の入射面との間の隙間のバラツキを低減することができる面状光源照明装置を提供することを目的とする。
【課題を解決するための手段】
【００１７】
請求項１に記載の発明によれば、複数の点状光源（１）と、複数の点状光源（１）を実装するための配線基板（２）と、複数の点状光源（１）からの光を反射するためのリフレクタ（３）とを具備し、
複数の点状光源（１）からの光および／またはリフレクタ（３）からの光が入射される入射面（４ａ）と、入射面（４ａ）と概略直交する出射面（４ｂ）と、出射面（４ｂ）に対向する下面（４ｃ）とを有する導光板（４）を具備し、
入射面（４ａ）を導光板（４）の側面に形成し、
出射面（４ｂ）を導光板（４）の上面に形成し、
複数の点状光源（１）が実装された配線基板（２）をリフレクタ（３）に取り付け、
複数の点状光源（１）が導光板（４）の入射面（４ａ）に対向するように、かつ、複数の点状光源（１）と導光板（４）の入射面（４ａ）との間に隙間が形成されるように、概略コ字状の断面形状を有するリフレクタ（３）の上側部分（３ａ）と導光板（４）の出射面（４ｂ）とを嵌合させると共に、リフレクタ（３）の下側部分（３ｂ）と導光板（４）の下面（４ｃ）とを嵌合させ、
入射面（４ａ）から入射された光が、導光板（４）によって導光されて出射面（４ｂ）から出射され、出射面（４ｂ）が面状に光って見えるように構成された面状光源照明装置（１０）において、
リフレクタ（３）の上側部分（３ａ）の下面に突起（３ａ１）を形成し、
リフレクタ（３）の上側部分（３ａ）の突起（３ａ１）と係合するための凹部（４ｂ１）を導光板（４）の出射面（４ｂ）に形成し、
リフレクタ（３）の下側部分（３ｂ）の上面に突起（３ｂ１）を形成し、
リフレクタ（３）の下側部分（３ｂ）の突起（３ｂ１）と係合するための凹部（４ｃ１）を導光板（４）の下面（４ｃ）に形成し、
リフレクタ（３）の上側部分（３ａ）の突起（３ａ１）と導光板（４）の出射面（４ｂ）の凹部（４ｂ１）とが係合すると共に、リフレクタ（３）の下側部分（３ｂ）の突起（３ｂ１）と導光板（４）の下面（４ｃ）の凹部（４ｃ１）とが係合することにより、複数の点状光源（１）、配線基板（２）およびリフレクタ（３）が導光板（４）に対して位置決めされ、
概略コ字状の断面形状を有するリフレクタ（３）の上側部分（３ａ）の先端に筒状部（３ａ３，３ａ４）を形成し、
リフレクタ（３）の下側部分（３ｂ）の先端に筒状部（３ｂ３）を形成し、
導光板（４）に対するリフレクタ（３）の着脱時にリフレクタ（３）の上側部分（３ａ）の筒状部（３ａ３，３ａ４）に装着される上側取っ手（１１ａ）と、
導光板（４）に対するリフレクタ（３）の着脱時にリフレクタ（３）の下側部分（３ｂ）の筒状部（３ｂ３）に装着される下側取っ手（１１ｂ）とを設けたことを特徴とする面状光源照明装置（１０）が提供される。
【発明の効果】
【００２５】
請求項１に記載の面状光源照明装置（１０）では、複数の点状光源（１）と、複数の点状光源（１）を実装するための配線基板（２）と、複数の点状光源（１）からの光を反射するためのリフレクタ（３）とが設けられている。また、複数の点状光源（１）からの光および／またはリフレクタ（３）からの光が入射される入射面（４ａ）と、入射面（４ａ）と概略直交する出射面（４ｂ）と、出射面（４ｂ）に対向する下面（４ｃ）とを有する導光板（４）が設けられている。
【００２６】
更に、請求項１に記載の面状光源照明装置（１０）では、入射面（４ａ）が導光板（４）の側面に形成されている。また、出射面（４ｂ）が導光板（４）の上面に形成されている。更に、複数の点状光源（１）が実装された配線基板（２）が、リフレクタ（３）に取り付けられている。
【００２７】
また、請求項１に記載の面状光源照明装置（１０）では、複数の点状光源（１）が導光板（４）の入射面（４ａ）に対向するように、かつ、複数の点状光源（１）と導光板（４）の入射面（４ａ）との間に所定の隙間が形成されるように、概略コ字状の断面形状を有するリフレクタ（３）の上側部分（３ａ）と導光板（４）の出射面（４ｂ）とが嵌合せしめられると共に、リフレクタ（３）の下側部分（３ｂ）と導光板（４）の下面（４ｃ）とが嵌合せしめられている。
【００２８】
その結果、請求項１に記載の面状光源照明装置（１０）では、入射面（４ａ）から入射された光が、導光板（４）によって導光されて出射面（４ｂ）から出射され、出射面（４ｂ）が面状に光って見えるように構成されている。
【００９０】
請求項１に記載の面状光源照明装置（１０）では、概略コ字状の断面形状を有するリフレクタ（３）の上側部分（３ａ）の先端に筒状部（３ａ３，３ａ４）が形成されている。また、リフレクタ（３）の下側部分（３ｂ）の先端に筒状部（３ｂ３）が形成されている。更に、導光板（４）に対するリフレクタ（３）の着脱時にリフレクタ（３）の上側部分（３ａ）の筒状部（３ａ３，３ａ４）に装着される上側取っ手（１１ａ）と、導光板（４）に対するリフレクタ（３）の着脱時にリフレクタ（３）の下側部分（３ｂ）の筒状部（３ｂ３）に装着される下側取っ手（１１ｂ）とが設けられている。
【発明を実施するための最良の形態】
【０１００】
以下、本発明に関連する発明の面状光源照明装置の第１の形態について説明する。図１は本発明に関連する発明の第１の形態の面状光源照明装置１０を左前側かつ上側から見た概略的な斜視図、図２は本発明に関連する発明の第１の形態の面状光源照明装置１０を前側から見た概略的な断面図である。
【０１０１】
本発明に関連する発明の第１の形態の面状光源照明装置１０では、図１および図２に示すように、面状光源照明装置１０の前後方向（図１の右下−左上方向）に配列された例えばＬＥＤのような複数の点状光源１が、配線基板２に実装されている。詳細には、点状光源１のうち、配線基板２に対して直交する面（図２の右側の面）が発光面になるように、複数の点状光源１が配線基板２に実装されている。本発明に関連する発明の第１の形態の面状光源照明装置１０では、配線基板２として、ガラスエポキシ基板または金属基板上に必要な電気回路および絶縁層が形成されたものが用いられているが、本発明に関連する発明の第２の形態の面状光源照明装置１０では、代わりに、配線基板２として、フレキシブル基板を用いることも可能である。
【０１０２】
更に、本発明に関連する発明の第１の形態の面状光源照明装置１０では、図１および図２に示すように、複数の点状光源１からの光を反射するために、概略コ字状の断面形状を有するリフレクタ３が設けられている。本発明に関連する発明の第１の形態の面状光源照明装置１０では、例えば樹脂材料の射出成形、押出成形などによってリフレクタ３が形成されているが、本発明に関連する発明の第３の形態の面状光源照明装置１０では、代わりに、金属材料のプレス加工などによってリフレクタ３を形成することも可能である。
【０１０３】
また、本発明に関連する発明の第１の形態の面状光源照明装置１０では、概略コ字状の断面形状を有するリフレクタ３の内側表面の反射率が８０％以上になるように、リフレクタ３の内側表面に鏡面加工が施され、リフレクタ３の内側表面に鏡面反射面が形成されている。詳細には、例えばＡｌ、Ａｇ等の金属薄膜を蒸着またはスパッタ成膜することにより、リフレクタ３の内側表面に鏡面反射面が形成されている。
【０１０４】
本発明に関連する発明の第４の形態の面状光源照明装置１０では、代わりに、例えばＰＥＴ、ＰＭＭＡなどのような樹脂フィルム上にＡｌ、Ａｇ等の金属薄膜をスパッタ成膜して形成した高反射フィルムをリフレクタ３の内側表面に接着することにより、リフレクタ３の内側表面に鏡面反射面を形成することも可能である。あるいは、本発明に関連する発明の第５の形態の面状光源照明装置１０では、例えば白色樹脂材料の成形によって形成されたリフレクタ３の内側表面をそのまま反射面として用いたり、例えば光沢を有する金属材料のプレス加工によって形成されたリフレクタ３の内側表面をそのまま反射面として用いたりすることも可能である。
【０１０５】
更に、本発明に関連する発明の第１の形態の面状光源照明装置１０では、図１および図２に示すように、複数の点状光源１が実装された配線基板２が、概略コ字状の断面形状を有するリフレクタ３の内側表面に対して例えばねじ止め、接着などによって固定されている。
【０１０６】
また、本発明に関連する発明の第１の形態の面状光源照明装置１０では、図１および図２に示すように、複数の点状光源１からの光および／またはリフレクタ３からの光が入射される入射面（左側面）４ａと、入射面（左側面）４ａと概略直交する出射面（上面）４ｂと、出射面（上面）４ｂに対向する下面４ｃとを有する導光板４が設けられている。本発明に関連する発明の第１の形態の面状光源照明装置１０では、例えばＰＭＭＡによって導光板４が形成されているが、本発明に関連する発明の第６の形態の面状光源照明装置１０では、代わりに、ＰＭＭＡ以外の任意の透明材料によって導光板４を形成することも可能である。
【０１０７】
詳細には、本発明に関連する発明の第１の形態の面状光源照明装置１０では、図１および図２に示すように、複数の点状光源１が導光板４の入射面（左側面）４ａに対向するように、かつ、複数の点状光源１と導光板４の入射面（左側面）４ａとの間に所望の隙間が形成されるように、概略コ字状の断面形状を有するリフレクタ３の上側部分３ａと導光板４の出射面（上面）４ｂとが嵌合せしめられると共に、リフレクタ３の下側部分３ｂと導光板４の下面４ｃとが嵌合せしめられている。
【０１０８】
そのため、本発明に関連する発明の第１の形態の面状光源照明装置１０では、導光板４の入射面（左側面）４ａから入射された光が、導光板４によって導光され、出射面（上面）４ｂから出射される。その結果、本発明に関連する発明の第１の形態の面状光源照明装置１０を図２の上側から見ると、導光板４の出射面（上面）４ｂが面状に光って見える。
【０１０９】
更に詳細には、本発明に関連する発明の第１の形態の面状光源照明装置１０では、図１および図２に示すように、リフレクタ３の上側部分３ａの下面に突起３ａ１が形成されている。更に、リフレクタ３の上側部分３ａの突起３ａ１と係合するための凹部４ｂ１が、導光板４の出射面（上面）４ｂに形成されている。
【０１１０】
また、本発明に関連する発明の第１の形態の面状光源照明装置１０では、図１および図２に示すように、リフレクタ３の下側部分３ｂの上面に突起３ｂ１が形成されている。更に、リフレクタ３の下側部分３ｂの突起３ｂ１と係合するための凹部４ｃ１が、導光板４の下面４ｃに形成されている。
【０１１１】
そのため、本発明に関連する発明の第１の形態の面状光源照明装置１０では、図１および図２に示すように、複数の点状光源１、配線基板２およびリフレクタ３が導光板４に対して取り付けられる時に、リフレクタ３の上側部分３ａと導光板４の出射面（上面）４ｂとが嵌合せしめられると、リフレクタ３の上側部分３ａの突起３ａ１と導光板４の出射面（上面）４ｂの凹部４ｂ１とが係合する。更に、リフレクタ３の下側部分３ｂと導光板４の下面４ｃとが嵌合せしめられると、リフレクタ３の下側部分３ｂの突起３ｂ１と導光板４の下面４ｃの凹部４ｃ１とが係合する。
【０１１２】
その結果、本発明に関連する発明の第１の形態の面状光源照明装置１０では、図１および図２に示すように、複数の点状光源１、配線基板２およびリフレクタ３が導光板４に対して位置決めされる。
【０１１３】
本発明に関連する発明の第１の形態の面状光源照明装置１０では、図２に示すように、リフレクタ３の上側部分３ａの突起３ａ１の断面形状、および、リフレクタ３の下側部分３ｂの突起３ｂ１の断面形状が三角形にされているが、本発明に関連する発明の第７の形態の面状光源照明装置１０では、代わりに、リフレクタ３の上側部分３ａの突起３ａ１の断面形状、および、リフレクタ３の下側部分３ｂの突起３ｂ１の断面形状を矩形にすることも可能である。
【０１１４】
更に、本発明に関連する発明の第１の形態の面状光源照明装置１０では、図２に示すように、リフレクタ３の上側部分３ａの突起３ａ１、および、リフレクタ３の下側部分３ｂの突起３ｂ１が同一の鉛直面上に配置されているが、本発明に関連する発明の第８の形態の面状光源照明装置１０では、代わりに、リフレクタ３の上側部分３ａの突起３ａ１とリフレクタ３の下側部分３ｂの突起３ｂ１とを左右方向（図２の左右方向）にずらして配置することも可能である。
【０１１５】
また、本発明に関連する発明の第１の形態の面状光源照明装置１０では、図１および図２に示すように、導光板４の出射面（上面）４ｂ上に光学フィルムが積層されていないが、本発明に関連する発明の第９の形態の面状光源照明装置１０では、代わりに、輝度を向上させたり、輝度を均一にしたりするために、導光板４の出射面（上面）４ｂ上に光学フィルムを積層することも可能である。
【０１１６】
更に、本発明に関連する発明の第１の形態の面状光源照明装置１０では、図２に示すように、導光板４の下面４ｃの下に反射フィルムが配置されていないが、本発明に関連する発明の第１０の形態の面状光源照明装置１０では、代わりに、導光板４の下面４ｃの下に反射フィルムを配置することも可能である。
【０１１７】
また、本発明に関連する発明の第１の形態の面状光源照明装置１０では、図１および図２に示すように、複数の点状光源１、配線基板２、リフレクタ３および導光板４を収容するためのハウジングが設けられていないが、本発明に関連する発明の第１１の形態の面状光源照明装置１０では、代わりに、複数の点状光源１、配線基板２、リフレクタ３および導光板４を収容するための樹脂製または金属製のハウジングを設けることも可能である。
【０１１８】
更に、本発明に関連する発明の第１の形態の面状光源照明装置１０では、配線基板２に電力および制御信号を供給するための配線（図示せず）がリフレクタ３の手前側（図１の右下側）または奥側（図１の左上側）から配線基板２まで延ばされているが、本発明に関連する発明の第１２の形態の面状光源照明装置１０では、代わりに、配線を通すための切り欠きまたは貫通穴をリフレクタ３に形成することも可能である。
【０１１９】
換言すれば、本発明に関連する発明の第１の形態の面状光源照明装置１０では、図１および図２に示すように、複数の点状光源１、配線基板２およびリフレクタ３が導光板４に対して取り付けられる時に、複数の点状光源１と導光板４の入射面（左側面）４ａとの間の隙間の微調整が組立作業者によって行われることなく、複数の点状光源１、配線基板２およびリフレクタ３が導光板４に対して位置決めされる。
【０１２０】
そのため、本発明に関連する発明の第１の形態の面状光源照明装置１０によれば、組立作業者が複数の点状光源１と導光板４の入射面（左側面）４ａとの間の隙間の微調整を行わなければならない場合よりも、導光板４に対する複数の点状光源１、配線基板２およびリフレクタ３の位置決め作業を容易にすることができる。
【０１２１】
つまり、本発明に関連する発明の第１の形態の面状光源照明装置１０によれば、組立作業者が複数の点状光源１と導光板４の入射面（左側面）４ａとの間の隙間の微調整を行わなければならない場合よりも、量産される面状光源照明装置１０の複数の点状光源１と導光板４の入射面（左側面）４ａとの間の隙間のバラツキを低減することができる。
【０１２２】
図３はリフレクタ３の内側表面の反射率（％）と相対結合効率との関係を示した図である。詳細には、図３は、図１および図２に示す本発明に関連する発明の第１の形態の面状光源照明装置１０のリフレクタ３の内側表面の反射率（％）を６５％から９５％まで変更し、それぞれの反射率（％）における相対結合効率を示したものである。更に詳細には、図３の相対結合効率は、リフレクタ３が設けられていない場合における結合効率（光源１から出射された全光束に対する、導光板４の入射面（左側面）４ａから入射し、導光板４の入射面（左側面）４ａよりも５ｍｍ右側（図２の右側）の位置まで到達した光束の割合）に対するリフレクタ３が設けられている本発明に関連する発明の第１の形態の面状光源照明装置１０の結合効率の割合を示している。図３において、相対結合効率が大きいことは、リフレクタ３を設けたことに伴う効果が大きいことを意味する。
【０１２３】
図３に示すリフレクタ３の内側表面の反射率（％）と相対結合効率との関係を得るために、導光板４の板厚（図２の上下方向寸法）を１．５ｍｍに設定した。また、複数の点状光源１と導光板４の入射面（左側面）４ａとの間の隙間を０．５ｍｍに設定した。更に、点状光源１として０．３ｍｍ×０．３ｍｍのＬＥＤチップを用いた。また、隣接する２個の点状光源１の間隔を３．５５ｍｍに設定し、５個の点状光源１を面状光源照明装置１０の前後方向（図１の右下−左上方向）に配列した。更に、リフレクタ３の上側部分３ａの下面と下側部分３ｂの上面との間隔を１．５０２ｍｍに設定した。また、リフレクタ３の上側部分３ａおよび下側部分３ｂの左右方向（図２の左右方向）寸法を２．５ｍｍに設定した。
【０１２４】
図３に示すように、リフレクタ３を設けることにより、結合効率向上効果が得られることがわかる。また、１割程度以上の結合効率向上効果を得るためには、リフレクタ３の内側表面の反射率を８０％以上にする必要があることがわかる。
【０１２５】
図４は本発明に関連する発明の第１３の形態の面状光源照明装置１０を前側から見た概略的な断面図である。本発明に関連する発明の第１の形態の面状光源照明装置１０では、図２に示すように、概略コ字状の断面形状を有するリフレクタ３の内側に配線基板２が配置されているが、本発明に関連する発明の第１３の形態の面状光源照明装置１０では、図４に示すように、概略コ字状の断面形状を有するリフレクタ３の外側に配線基板２が配置されている。また、リフレクタ３に貫通穴３ｃが形成されている。更に、配線基板２に実装されている複数の点状光源１が、貫通穴３ｃを介してリフレクタ３の内側に突出せしめられている。そのため、本発明に関連する発明の第１３の形態の面状光源照明装置１０によれば、リフレクタ３と嵌合せしめられる導光板４の上下方向（図４の上下方向）寸法を小さくすることができる。
【０１２６】
図５は本発明に関連する発明の第１４の形態の面状光源照明装置１０を前側から見た概略的な断面図である。本発明に関連する発明の第１の形態の面状光源照明装置１０では、図２に示すように、点状光源１のうち、配線基板２に対して直交する面（図２の右側の面）が発光面になるように、複数の点状光源１が配線基板２に実装されているが、本発明に関連する発明の第１４の形態の面状光源照明装置１０では、図５に示すように、点状光源１のうち、配線基板２と平行な面（図５の右側の面）が発光面になるように、複数の点状光源１が配線基板２に実装されている。
【０１２７】
換言すれば、本発明に関連する発明の第１の形態の面状光源照明装置１０では、図２に示すように、配線基板２がリフレクタ３の下側部分３ｂに取り付けられているが、本発明に関連する発明の第１４の形態の面状光源照明装置１０では、図５に示すように、配線基板２がリフレクタ３の側面部分に取り付けられている。また、配線基板２に実装されている複数の点状光源１が、貫通穴３ｃを介してリフレクタ３の内側に突出せしめられている。
【０１２８】
本発明に関連する発明の第１４の形態の面状光源照明装置１０では、図５に示すように、概略コ字状の断面形状を有するリフレクタ３の外側に配線基板２が配置されているが、本発明に関連する発明の第１５の形態の面状光源照明装置１０では、配線基板２の上下方向寸法が小さい場合に、概略コ字状の断面形状を有するリフレクタ３の内側に配線基板２を配置することも可能である。
【０１２９】
図６は本発明の第１の実施形態の面状光源照明装置１０を前側から見た概略的な断面図である。図７は導光板４に対するリフレクタ３の着脱時に用いられる上側取っ手１１ａおよび下側取っ手１１ｂが装着された状態における第１の実施形態の面状光源照明装置１０を左前側かつ上側から見た概略的な斜視図である。
【０１３０】
第１の実施形態の面状光源照明装置１０では、図６および図７に示すように、概略コ字状の断面形状を有するリフレクタ３の上側部分３ａの先端に筒状部３ａ３，３ａ４が形成されている。また、リフレクタ３の下側部分３ｂの先端に筒状部３ｂ３が形成されている。更に、リフレクタ３の上側部分３ａの筒状部３ａ４と上下対称に形成された筒状部（図示せず）が、リフレクタ３の下側部分３ｂに設けられている。
【０１３１】
更に、第１の実施形態の面状光源照明装置１０では、図７に示すように、導光板４に対するリフレクタ３の着脱時にリフレクタ３の上側部分３ａの筒状部３ａ３，３ａ４に装着される上側取っ手１１ａと、導光板４に対するリフレクタ３の着脱時にリフレクタ３の下側部分３ｂの筒状部３ｂ３に装着される下側取っ手１１ｂとが設けられている。
【０１３２】
そのため、第１の実施形態の面状光源照明装置１０によれば、概略コ字状の断面形状を有するリフレクタ３の内側に導光板４を挿入する時に、上側取っ手１１ａの左端および下側取っ手１１ｂの左端を把持することにより、リフレクタ３の開口部を十分開くことができ、その結果、リフレクタ３の上側部分３ａの突起３ａ１と導光板４の出射面（上面）４ｂとを離間させ、かつ、リフレクタ３の下側部分３ｂの突起３ｂ１と導光板４の下面４ｃとを離間させることができ、リフレクタ３を導光板４に容易に装着することができる。
【０１３３】
また、第１の実施形態の面状光源照明装置１０によれば、リフレクタ３を導光板４から取り外す時に、上側取っ手１１ａの左端および下側取っ手１１ｂの左端を把持することにより、リフレクタ３の上側部分３ａの突起３ａ１と導光板４の出射面（上面）４ｂの凹部４ｂ１との係合およびリフレクタ３の下側部分３ｂの突起３ｂ１と導光板４の下面４ｃの凹部４ｃ１との係合を容易に解除することができる。
【０１３４】
第１の実施形態の面状光源照明装置１０では、導光板４に対するリフレクタ３の着脱作業が終了すると、上側取っ手１１ａおよび下側取っ手１１ｂが、面状光源照明装置１０の手前側（図７の右下側）に移動せしめられ、図６に示すように、リフレクタ３の上側部分３ａの筒状部３ａ３，３ａ４および下側部分３ｂの筒状部３ｂ３から容易に取り外される。
【０１３５】
第１の実施形態の面状光源照明装置１０では、図６および図７に示すように、リフレクタ３の上側部分３ａの下面に突起３ａ１が形成され、リフレクタ３の上側部分３ａの突起３ａ１と係合するための凹部４ｂ１が、導光板４の出射面（上面）４ｂに形成されているが、第２の実施形態の面状光源照明装置１０では、代わりに、リフレクタ３の上側部分３ａの下面に凹部を形成し、リフレクタ３の上側部分３ａの凹部と係合するための突起を、導光板４の出射面（上面）４ｂに形成することも可能である。
【０１３６】
また、第１の実施形態の面状光源照明装置１０では、図６および図７に示すように、リフレクタ３の下側部分３ｂの上面に突起３ｂ１が形成され、リフレクタ３の下側部分３ｂの突起３ｂ１と係合するための凹部４ｃ１が、導光板４の下面４ｃに形成されているが、第２の実施形態の面状光源照明装置１０では、代わりに、リフレクタ３の下側部分３ｂの上面に凹部を形成し、リフレクタ３の下側部分３ｂの凹部と係合するための突起を、導光板４の下面４ｃに形成することも可能である。
【０１３７】
更に、第１の実施形態の面状光源照明装置１０では、図６および図７に示すように、概略コ字状の断面形状を有するリフレクタ３の内側に配線基板２が配置されているが、第３の実施形態の面状光源照明装置１０では、概略コ字状の断面形状を有するリフレクタ３の外側に配線基板２を配置することも可能である。詳細には、第３の実施形態の面状光源照明装置１０では、リフレクタ３に貫通穴３ｃ（図４参照）が形成されている。更に、配線基板２に実装されている複数の点状光源１が、貫通穴３ｃを介してリフレクタ３の内部に突出せしめられている。そのため、第３の実施形態の面状光源照明装置１０によれば、リフレクタ３と嵌合せしめられる導光板４の上下方向寸法を小さくすることができる。
【０１３８】
図８は本発明の第４の実施形態の面状光源照明装置１０を前側から見た概略的な断面図である。図９は導光板４に対するリフレクタ３の着脱時に用いられる上側取っ手１１ａおよび下側取っ手１１ｂが装着された状態における第４の実施形態の面状光源照明装置１０を左前側かつ上側から見た概略的な斜視図である。
【０１３９】
第１の実施形態の面状光源照明装置１０では、図６に示すように、点状光源１のうち、配線基板２に対して直交する面（図６の右側の面）が発光面になるように、複数の点状光源１が配線基板２に実装されているが、第４の実施形態の面状光源照明装置１０では、図８に示すように、点状光源１のうち、配線基板２と平行な面（図８の右側の面）が発光面になるように、複数の点状光源１が配線基板２に実装されている。
【０１４０】
換言すれば、第１の実施形態の面状光源照明装置１０では、図６および図７に示すように、配線基板２がリフレクタ３の下側部分３ｂに取り付けられているが、第４の実施形態の面状光源照明装置１０では、図８および図９に示すように、配線基板２がリフレクタ３の側面部分に取り付けられている。
【０１４１】
更に、第４の実施形態の面状光源照明装置１０では、図８および図９に示すように、概略コ字状の断面形状を有するリフレクタ３の外側に配線基板２が配置されている。また、リフレクタ３に貫通穴３ｃが形成されている。更に、配線基板２に実装されている複数の点状光源１が、貫通穴３ｃを介してリフレクタ３の内側に突出せしめられている。
【０１４２】
換言すれば、第４の実施形態の面状光源照明装置１０では、図８および図９に示すように、配線基板２が、概略コ字状の断面形状を有するリフレクタ３の内側に配置されるのではなく、外側に配置されている。そのため、第４の実施形態の面状光源照明装置１０によれば、リフレクタ３と嵌合せしめられる導光板４の上下方向寸法を小さくすることができる。
【０１４３】
また、第４の実施形態の面状光源照明装置１０では、図８および図９に示すように、第１の実施形態の面状光源照明装置１０と同様に、概略コ字状の断面形状を有するリフレクタ３の上側部分３ａの先端に筒状部３ａ３，３ａ４が形成されている。また、リフレクタ３の下側部分３ｂの先端に筒状部３ｂ３が形成されている。更に、導光板４に対するリフレクタ３の着脱時にリフレクタ３の上側部分３ａの筒状部３ａ３，３ａ４に装着される上側取っ手１１ａと、導光板４に対するリフレクタ３の着脱時にリフレクタ３の下側部分３ｂの筒状部３ｂ３に装着される下側取っ手１１ｂとが設けられている。
【０１４４】
そのため、第４の実施形態の面状光源照明装置１０によれば、概略コ字状の断面形状を有するリフレクタ３の内側に導光板４を挿入する時に、上側取っ手１１ａの左端および下側取っ手１１ｂの左端を把持することにより、リフレクタ３の開口部を十分開くことができ、その結果、リフレクタ３の上側部分３ａの突起３ａ１と導光板４の出射面（上面）４ｂとを離間させ、かつ、リフレクタ３の下側部分３ｂの突起３ｂ１と導光板４の下面４ｃとを離間させることができ、リフレクタ３を導光板４に容易に装着することができる。また、リフレクタ３を導光板４から取り外す時に、リフレクタ３の上側部分３ａの突起３ａ１と導光板４の出射面４ｂの凹部４ｂ１との係合およびリフレクタ３の下側部分３ｂの突起３ｂ１と導光板４の下面４ｃの凹部４ｃ１との係合を容易に解除することができる。
【０１４５】
更に、第４の実施形態の面状光源照明装置１０では、図９に示すように、下側取っ手１１ｂを逃げるための切り欠き２ａが、配線基板２に形成されている。そのため、第４の実施形態の面状光源照明装置１０によれば、導光板４に対するリフレクタ３の着脱時に下側取っ手１１ｂと配線基板２とが干渉するのに伴って、配線基板２が破損してしまうおそれを回避することができる。
【０１４６】
第４の実施形態の面状光源照明装置１０では、図８および図９に示すように、リフレクタ３の上側部分３ａの下面に突起３ａ１が形成され、リフレクタ３の上側部分３ａの突起３ａ１と係合するための凹部４ｂ１が、導光板４の出射面（上面）４ｂに形成されているが、第５の実施形態の面状光源照明装置１０では、代わりに、リフレクタ３の上側部分３ａの下面に凹部を形成し、リフレクタ３の上側部分３ａの凹部と係合するための突起を、導光板４の出射面（上面）４ｂに形成することも可能である。
【０１４７】
また、第４の実施形態の面状光源照明装置１０では、図８および図９に示すように、リフレクタ３の下側部分３ｂの上面に突起３ｂ１が形成され、リフレクタ３の下側部分３ｂの突起３ｂ１と係合するための凹部４ｃ１が、導光板４の下面４ｃに形成されているが、第５の実施形態の面状光源照明装置１０では、代わりに、リフレクタ３の下側部分３ｂの上面に凹部を形成し、リフレクタ３の下側部分３ｂの凹部と係合するための突起を、導光板４の下面４ｃに形成することも可能である。
【０１４８】
第４の実施形態の面状光源照明装置１０では、図８および図９に示すように、配線基板２が、概略コ字状の断面形状を有するリフレクタ３の外側に配置されているが、第６の実施形態の面状光源照明装置１０では、配線基板２の上下方向寸法が小さい場合に、概略コ字状の断面形状を有するリフレクタ３の内側に配線基板２を配置することも可能である。
【０１４９】
図１０は本発明に関連する発明の第１６の形態の面状光源照明装置１０を前側から見た概略的な断面図である。本発明に関連する発明の第１の形態の面状光源照明装置１０では、図１および図２に示すように、リフレクタ３の下側部分３ｂの上面に突起３ｂ１が形成され、リフレクタ３の下側部分３ｂの突起３ｂ１と係合するための凹部４ｃ１が、導光板４の下面４ｃに形成されているが、本発明に関連する発明の第１６の形態の面状光源照明装置１０では、図１０に示すように、リフレクタ３の下側部分３ｂの上面に突起が形成されておらず、導光板４の下面４ｃに凹部が形成されていない。
【０１５０】
詳細には、本発明に関連する発明の第１６の形態の面状光源照明装置１０では、図１０に示すように、複数の点状光源１、配線基板２およびリフレクタ３が導光板４に対して取り付けられる時に、リフレクタ３の上側部分３ａと導光板４の出射面（上面）４ｂとが嵌合せしめられると、リフレクタ３の上側部分３ａの突起３ａ１と導光板４の出射面（上面）４ｂの凹部４ｂ１とが係合する。
【０１５１】
その結果、本発明に関連する発明の第１６の形態の面状光源照明装置１０では、図１０に示すように、複数の点状光源１、配線基板２およびリフレクタ３が導光板４に対して位置決めされる。つまり、本発明に関連する発明の第１６の形態の面状光源照明装置１０によれば、図２に示す本発明に関連する発明の第１の形態の面状光源照明装置１０とほぼ同様の効果を奏することができる。
【０１５２】
図１１は本発明に関連する発明の第１７の形態の面状光源照明装置１０を前側から見た概略的な断面図である。本発明に関連する発明の第１の形態の面状光源照明装置１０では、図１および図２に示すように、リフレクタ３の上側部分３ａの下面に突起３ａ１が形成され、リフレクタ３の上側部分３ａの突起３ａ１と係合するための凹部４ｂ１が、導光板４の出射面（上面）４ｂに形成されているが、本発明に関連する発明の第１７の形態の面状光源照明装置１０では、図１１に示すように、リフレクタ３の上側部分３ａの下面に突起が形成されておらず、導光板４の出射面（上面）４ｂに凹部が形成されていない。
【０１５３】
詳細には、本発明に関連する発明の第１７の形態の面状光源照明装置１０では、図１１に示すように、複数の点状光源１、配線基板２およびリフレクタ３が導光板４に対して取り付けられる時に、リフレクタ３の下側部分３ｂと導光板４の下面４ｃとが嵌合せしめられると、リフレクタ３の下側部分３ｂの突起３ｂ１と導光板４の下面４ｃの凹部４ｃ１とが係合する。
【０１５４】
その結果、本発明に関連する発明の第１７の形態の面状光源照明装置１０では、図１１に示すように、複数の点状光源１、配線基板２およびリフレクタ３が導光板４に対して位置決めされる。つまり、本発明に関連する発明の第１７の形態の面状光源照明装置１０によれば、図２に示す本発明に関連する発明の第１の形態の面状光源照明装置１０とほぼ同様の効果を奏することができる。
【０１５５】
図１２は本発明に関連する発明の第１８の形態の面状光源照明装置１０を前側から見た概略的な断面図である。本発明に関連する発明の第１８の形態の面状光源照明装置１０では、図１２に示すように、本発明に関連する発明の第１の形態の面状光源照明装置１０と同様に、面状光源照明装置１０の前後方向に配列された例えばＬＥＤのような複数の点状光源１が、配線基板２に実装されている。詳細には、点状光源１のうち、配線基板２に対して直交する面（図１２の右側の面）が発光面になるように、複数の点状光源１が配線基板２に実装されている。
【０１５６】
更に、本発明に関連する発明の第１８の形態の面状光源照明装置１０では、図１２に示すように、複数の点状光源１からの光を反射するために、概略コ字状の断面形状を有するリフレクタ３が設けられている。
【０１５７】
また、本発明に関連する発明の第１８の形態の面状光源照明装置１０では、概略コ字状の断面形状を有するリフレクタ３の内側表面の反射率が８０％以上になるように、リフレクタ３の内側表面に鏡面加工が施され、リフレクタ３の内側表面に鏡面反射面が形成されている。詳細には、例えばＡｌ、Ａｇ等の金属薄膜を蒸着またはスパッタ成膜することにより、リフレクタ３の内側表面に鏡面反射面が形成されている。
【０１５８】
更に、本発明に関連する発明の第１８の形態の面状光源照明装置１０では、図１２に示すように、複数の点状光源１が実装された配線基板２が、概略コ字状の断面形状を有するリフレクタ３の内側表面に対して例えばねじ止め、接着などによって固定されている。
【０１５９】
また、本発明に関連する発明の第１８の形態の面状光源照明装置１０では、図１２に示すように、複数の点状光源１からの光および／またはリフレクタ３からの光が入射される入射面（左側面）４ａと、入射面（左側面）４ａと概略直交する出射面（上面）４ｂと、下面４ｃとを有する導光板４が設けられている。
【０１６０】
詳細には、本発明に関連する発明の第１８の形態の面状光源照明装置１０では、図１２に示すように、複数の点状光源１が導光板４の入射面（左側面）４ａに対向するように、かつ、複数の点状光源１と導光板４の入射面（左側面）４ａとの間に所望の隙間が形成されるように、概略コ字状の断面形状を有するリフレクタ３の上側部分３ａと導光板４の出射面（上面）４ｂとが嵌合せしめられると共に、リフレクタ３の下側部分３ｂと導光板４の下面４ｃとが嵌合せしめられている。
【０１６１】
そのため、本発明に関連する発明の第１８の形態の面状光源照明装置１０では、導光板４の入射面（左側面）４ａから入射された光が、導光板４によって導光され、出射面（上面）４ｂから出射される。その結果、本発明に関連する発明の第１８の形態の面状光源照明装置１０を図１２の上側から見ると、導光板４の出射面（上面）４ｂが面状に光って見える。
【０１６２】
更に詳細には、本発明に関連する発明の第１８の形態の面状光源照明装置１０では、図１２に示すように、導光板４の出射面（上面）４ｂに突起４ｂ２が形成されている。更に、導光板４の出射面（上面）４ｂの突起４ｂ２と係合するための凹部３ａ２が、リフレクタ３の上側部分３ａの下面に形成されている。
【０１６３】
また、本発明に関連する発明の第１８の形態の面状光源照明装置１０では、図１２に示すように、導光板４の下面４ｃに突起４ｃ２が形成されている。更に、導光板４の下面４ｃの突起４ｃ２と係合するための凹部３ｂ２が、リフレクタ３の下側部分３ｂの上面に形成されている。
【０１６４】
そのため、本発明に関連する発明の第１８の形態の面状光源照明装置１０では、図１２に示すように、複数の点状光源１、配線基板２およびリフレクタ３が導光板４に対して取り付けられる時に、リフレクタ３の上側部分３ａと導光板４の出射面（上面）４ｂとが嵌合せしめられると、導光板４の出射面（上面）４ｂの突起４ｂ２とリフレクタ３の上側部分３ａの凹部３ａ２とが係合する。更に、リフレクタ３の下側部分３ｂと導光板４の下面４ｃとが嵌合せしめられると、導光板４の下面４ｃの突起４ｃ２とリフレクタ３の下側部分３ｂの凹部３ｂ２とが係合する。
【０１６５】
その結果、本発明に関連する発明の第１８の形態の面状光源照明装置１０では、図１２に示すように、複数の点状光源１、配線基板２およびリフレクタ３が導光板４に対して位置決めされる。
【０１６６】
換言すれば、本発明に関連する発明の第１８の形態の面状光源照明装置１０では、図１２に示すように、複数の点状光源１、配線基板２およびリフレクタ３が導光板４に対して取り付けられる時に、複数の点状光源１と導光板４の入射面（左側面）４ａとの間の隙間の微調整が組立作業者によって行われることなく、複数の点状光源１、配線基板２およびリフレクタ３が導光板４に対して位置決めされる。
【０１６７】
そのため、本発明に関連する発明の第１８の形態の面状光源照明装置１０によれば、組立作業者が複数の点状光源１と導光板４の入射面（左側面）４ａとの間の隙間の微調整を行わなければならない場合よりも、導光板４に対する複数の点状光源１、配線基板２およびリフレクタ３の位置決め作業を容易にすることができる。
【０１６８】
つまり、本発明に関連する発明の第１８の形態の面状光源照明装置１０によれば、組立作業者が複数の点状光源１と導光板４の入射面（左側面）４ａとの間の隙間の微調整を行わなければならない場合よりも、量産される面状光源照明装置１０の複数の点状光源１と導光板４の入射面（左側面）４ａとの間の隙間のバラツキを低減することができる。
【０１６９】
図１３は本発明に関連する発明の第１９の形態の面状光源照明装置１０を前側から見た概略的な断面図である。本発明に関連する発明の第１８の形態の面状光源照明装置１０では、図１２に示すように、リフレクタ３の上側部分３ａの下面の右端に凹部３ａ２が形成され、その凹部３ａ２に対応する位置に導光板４の出射面（上面）４ｂの突起４ｂ２が形成されているが、本発明に関連する発明の第１９の形態の面状光源照明装置１０では、図１３に示すように、導光板４の出射面（上面）４ｂの入射面側端（左端）に突起４ｂ２が形成され、その突起４ｂ２に対応する位置にリフレクタ３の上側部分３ａの下面の凹部３ａ２が形成されている。
【０１７０】
また、本発明に関連する発明の第１８の形態の面状光源照明装置１０では、図１２に示すように、リフレクタ３の下側部分３ｂの上面の右端に凹部３ｂ２が形成され、その凹部３ｂ２に対応する位置に導光板４の下面４ｃの突起４ｃ２が形成されているが、本発明に関連する発明の第１９の形態の面状光源照明装置１０では、図１３に示すように、導光板４の下面４ｃの入射面側端（左端）に突起４ｃ２が形成され、その突起４ｃ２に対応する位置にリフレクタ３の下側部分３ｂの上面の凹部３ｂ２が形成されている。
【０１７１】
更に、本発明に関連する発明の第１８の形態の面状光源照明装置１０では、図１２に示すように、概略コ字状の断面形状を有するリフレクタ３の内側に配線基板２が配置されているが、本発明に関連する発明の第１９の形態の面状光源照明装置１０では、図１３に示すように、概略コ字状の断面形状を有するリフレクタ３の外側に配線基板２が配置されている。また、リフレクタ３に貫通穴３ｃが形成されている。更に、配線基板２に実装されている複数の点状光源１が、貫通穴３ｃを介してリフレクタ３の内側に突出せしめられている。そのため、本発明に関連する発明の第１９の形態の面状光源照明装置１０によれば、リフレクタ３と嵌合せしめられる導光板４の上下方向（図１３の上下方向）寸法を小さくすることができる。
【０１７２】
図１４は本発明に関連する発明の第２０の形態の面状光源照明装置１０を前側から見た概略的な断面図である。本発明に関連する発明の第１９の形態の面状光源照明装置１０では、図１３に示すように、点状光源１のうち、配線基板２に対して直交する面（図１３の右側の面）が発光面になるように、複数の点状光源１が配線基板２に実装されているが、本発明に関連する発明の第２０の形態の面状光源照明装置１０では、図１４に示すように、点状光源１のうち、配線基板２と平行な面（図１４の右側の面）が発光面になるように、複数の点状光源１が配線基板２に実装されている。
【０１７３】
換言すれば、本発明に関連する発明の第１９の形態の面状光源照明装置１０では、図１３に示すように、配線基板２がリフレクタ３の下側部分３ｂに取り付けられているが、本発明に関連する発明の第２０の形態の面状光源照明装置１０では、図１４に示すように、配線基板２がリフレクタ３の側面部分に取り付けられている。
【０１７４】
図１５は本発明に関連する発明の第２１の形態の面状光源照明装置１０を前側から見た概略的な断面図である。本発明に関連する発明の第１８の形態の面状光源照明装置１０では、図１２に示すように、導光板４の下面４ｃに突起４ｃ２が形成され、その突起４ｃ２と係合するための凹部３ｂ２が、リフレクタ３の下側部分３ｂの上面に形成されているが、本発明に関連する発明の第２１の形態の面状光源照明装置１０では、図１５に示すように、導光板４の下面４ｃに突起が形成されておらず、リフレクタ３の下側部分３ｂの上面に凹部が形成されていない。
【０１７５】
詳細には、本発明に関連する発明の第２１の形態の面状光源照明装置１０では、図１５に示すように、複数の点状光源１、配線基板２およびリフレクタ３が導光板４に対して取り付けられる時に、リフレクタ３の上側部分３ａと導光板４の出射面（上面）４ｂとが嵌合せしめられると、導光板４の出射面（上面）４ｂの突起４ｂ２とリフレクタ３の上側部分３ａの下面の凹部３ａ２とが係合する。
【０１７６】
その結果、本発明に関連する発明の第２１の形態の面状光源照明装置１０では、図１５に示すように、複数の点状光源１、配線基板２およびリフレクタ３が導光板４に対して位置決めされる。つまり、本発明に関連する発明の第２１の形態の面状光源照明装置１０によれば、図１２に示す本発明に関連する発明の第１８の形態の面状光源照明装置１０とほぼ同様の効果を奏することができる。
【０１７７】
図１６は本発明に関連する発明の第２２の形態の面状光源照明装置１０を前側から見た概略的な断面図である。本発明に関連する発明の第２１の形態の面状光源照明装置１０では、図１５に示すように、リフレクタ３の上側部分３ａの下面の右端に凹部３ａ２が形成され、その凹部３ａ２に対応する位置に導光板４の出射面（上面）４ｂの突起４ｂ２が形成されているが、本発明に関連する発明の第２２の形態の面状光源照明装置１０では、図１６に示すように、導光板４の出射面（上面）４ｂの入射面側端（左端）に突起４ｂ２が形成され、その突起４ｂ２に対応する位置にリフレクタ３の上側部分３ａの下面の凹部３ａ２が形成されている。
【０１７８】
図１７は本発明に関連する発明の第２３の形態の面状光源照明装置１０を前側から見た概略的な断面図である。本発明に関連する発明の第１８の形態の面状光源照明装置１０では、図１２に示すように、導光板４の出射面（上面）４ｂに突起４ｂ２が形成され、その突起４ｂ２と係合するための凹部３ａ２が、リフレクタ３の上側部分３ａの下面に形成されているが、本発明に関連する発明の第２３の形態の面状光源照明装置１０では、図１７に示すように、導光板４の出射面（上面）４ｂに突起が形成されておらず、リフレクタ３の上側部分３ａの下面に凹部が形成されていない。
【０１７９】
詳細には、本発明に関連する発明の第２３の形態の面状光源照明装置１０では、図１７に示すように、複数の点状光源１、配線基板２およびリフレクタ３が導光板４に対して取り付けられる時に、リフレクタ３の下側部分３ｂと導光板４の下面４ｃとが嵌合せしめられると、導光板４の下面４ｃの突起４ｃ２とリフレクタ３の下側部分３ｂの上面の凹部３ｂ２とが係合する。
【０１８０】
その結果、本発明に関連する発明の第２３の形態の面状光源照明装置１０では、図１７に示すように、複数の点状光源１、配線基板２およびリフレクタ３が導光板４に対して位置決めされる。つまり、本発明に関連する発明の第２３の形態の面状光源照明装置１０によれば、図１２に示す本発明に関連する発明の第１８の形態の面状光源照明装置１０とほぼ同様の効果を奏することができる。
【０１８１】
第７の実施形態では、第１から第６の実施形態、および、本発明に関連する発明の第１から第２３の形態を適宜組み合わせることも可能である。
【産業上の利用可能性】
【０１８２】
本発明の面状光源照明装置は、例えば液晶ディスプレイバックライト、透過型看板照明、トレース台照明装置、シャウカステン（レントゲンライトボックス）照明装置、シーリングランプなどの平面照明装置などに適用可能である。
【図面の簡単な説明】
【０１８３】
【図１】本発明に関連する発明の第１の形態の面状光源照明装置１０を左前側かつ上側から見た概略的な斜視図である。
【図２】本発明に関連する発明の第１の形態の面状光源照明装置１０を前側から見た概略的な断面図である。
【図３】リフレクタ３の内側表面の反射率（％）と相対結合効率との関係を示した図である。
【図４】本発明に関連する発明の第１３の形態の面状光源照明装置１０を前側から見た概略的な断面図である。
【図５】本発明に関連する発明の第１４の形態の面状光源照明装置１０を前側から見た概略的な断面図である。
【図６】本発明の第１の実施形態の面状光源照明装置１０を前側から見た概略的な断面図である。
【図７】導光板４に対するリフレクタ３の着脱時に用いられる上側取っ手１１ａおよび下側取っ手１１ｂが装着された状態における第１の実施形態の面状光源照明装置１０を左前側かつ上側から見た概略的な斜視図である。
【図８】本発明の第４の実施形態の面状光源照明装置１０を前側から見た概略的な断面図である。
【図９】導光板４に対するリフレクタ３の着脱時に用いられる上側取っ手１１ａおよび下側取っ手１１ｂが装着された状態における第４の実施形態の面状光源照明装置１０を左前側かつ上側から見た概略的な斜視図である。
【図１０】本発明に関連する発明の第１６の形態の面状光源照明装置１０を前側から見た概略的な断面図である。
【図１１】本発明に関連する発明の第１７の形態の面状光源照明装置１０を前側から見た概略的な断面図である。
【図１２】本発明に関連する発明の第１８の形態の面状光源照明装置１０を前側から見た概略的な断面図である。
【図１３】本発明に関連する発明の第１９の形態の面状光源照明装置１０を前側から見た概略的な断面図である。
【図１４】本発明に関連する発明の第２０の形態の面状光源照明装置１０を前側から見た概略的な断面図である。
【図１５】本発明に関連する発明の第２１の形態の面状光源照明装置１０を前側から見た概略的な断面図である。
【図１６】本発明に関連する発明の第２２の形態の面状光源照明装置１０を前側から見た概略的な断面図である。
【図１７】本発明に関連する発明の第２３の形態の面状光源照明装置１０を前側から見た概略的な断面図である。
【符号の説明】
【０１８４】
１                      光源
２                      配線基板
２ａ                    切り欠き
３                      リフレクタ
３ａ                    上側部分
３ａ１                  突起
３ａ２                  凹部
３ａ３，３ａ４          筒状部
３ｂ                    下側部分
３ｂ１                  突起
３ｂ２                  凹部
３ｂ３                  筒状部
３ｃ                    貫通穴
４                      導光板
４ａ                    入射面
４ｂ                    出射面
４ｂ１                  凹部
４ｂ２                  突起
４ｃ                    下面
４ｃ１                  凹部
４ｃ２                  突起
１０                    面状光源照明装置
１１ａ                  上側取っ手
１１ｂ                  下側取っ手
【図１】
0005297694.tif 000002
【図２】
0005297694.tif 000003
【図３】
0005297694.tif 000004
【図４】
0005297694.tif 000005
【図５】
0005297694.tif 000006
【図６】
0005297694.tif 000007
【図７】
0005297694.tif 000008
【図８】
0005297694.tif 000009
【図９】
0005297694.tif 000010
【図１０】
0005297694.tif 000011
【図１１】
0005297694.tif 000012
【図１２】
0005297694.tif 000013
【図１３】
0005297694.tif 000014
【図１４】
0005297694.tif 000015
【図１５】
0005297694.tif 000016
【図１６】
0005297694.tif 000017
【図１７】
0005297694.tif 000018